(57)【要約】      （修正有）【課題】断熱効果を高く保ち、伝熱による温度変化を防止するとともに、簡便に着脱可能で、且つ、安全に飲料缶を取り扱うことを可能にする飲料缶用付帯品の提供。【解決手段】伸縮性を有し撥水性及び弾力性のある断熱素材である発泡プラスチックシートによって作成した円筒形の断熱ホルダー１と缶上部を覆う上部保護カバー２を飲料缶に装着する。【選択図】図１
2005132482.tif 000002
【特許請求の範囲】
【請求項１】
伸縮性のある断熱素材をもって飲料缶の胴部を締着し固定されていることを特徴とする飲料缶用ホルダー。
【請求項２】
一体に形成される底を設けた請求項１記載の飲料缶用ホルダー。
【請求項３】
伸縮性のある断熱素材で飲料缶の口造り部となる飲み口側胴端部を締着し固定されていることを特徴とする飲料缶用口造り。
【請求項４】
断熱素材で飲料缶の上部開口部を被覆し、その一部が自由に可動し得ることを特徴とする保護カバー。
【発明の詳細な説明】
【技術分野】
【０００１】本発明はお茶やコーヒー、リキュールなどの飲料用缶に使用し、保温効果または保冷効果を発揮し、内容物の温度を保つとともに安全に取扱いが出来、使用することが出来る飲料缶用付帯品に関する。
【背景技術】
【０００２】飲料用容器として使用されるスチール缶またはアルミ缶は、断熱性に乏しいため、熱い内容液は冷めやく、冷たい内容液は温まりやすい。またこれらの缶は伝熱性に富んでいるため、直接触れると熱すぎたり冷たすぎたりして取り扱い難く、その温度の程度によっては皮膚を損傷する危険をも有する。しかしながら、熱いものは熱いままに、或いは冷たいものを冷たいままに、かつ取扱いやすくして供することを目的にした安全かつ安価で、簡便な飲料缶用付帯品は一般に入手することができないのが現状である。これに対し、部分的に課題を解決する方法として、例えば  特開平１１−０５１５３４  に示される断熱材と金属性の伝熱カップに電気的な加熱・冷却機能を設けたカップや  特開平１１−２６７０４３に示される紙筒とコルクシートを層状にして巻装する事により断熱性に優れたホルダーが提案されている。
【発明の開示】
【発明が解決しようとする課題】
【０００３】前者、特開平１１−０５１５３４  の従来技術で示される伝熱カップは温度を制御する機構を設けるなど構造が複雑であり、また形状が一定であることから一定サイズの飲料缶に合わせて供する必要があり、汎用性に乏しい。また、暖められた或いは冷却された飲料缶を当該の電熱カップに装着する際、例えば熱いものであれば直接保持できないなど取扱いに難しさを伴う。また、飲料缶に口をつけ飲食するに際し飲料缶がカップの中を摺動し飲食し難い問題を有する。【０００４】後者、特開平１１−２６７０４３の従来技術で示されるボルダ−は、紙及びコルクシートから構成される為に周方向の伸縮性がなく、飲料缶の外径寸法に合わせたサイズの供給が必要であり、折り返し部分により缶がホルダーから抜け落ちることは防げるものの装着がし易い寸法を用いると缶とホルダーの密着性が悪くなり摺動し飲食し難く、寸法公差が小さ過ぎると装着が困難になる。また、飲料缶の加熱、冷却に際しては、空気伝熱による方法、液体槽による方法が一般に用いられるが、当該のホルダーは水分を含むと強度が劣化する場合が多く、加熱や冷却前に装着するには適さず、加熱や冷却後に装着する必要があることから、取扱いが困難である。【０００５】また、飲食する際には口を飲料缶に直接接触させる必要があり、高い温度に熱したり、ごく低温まで冷却するといずれの方法によっても唇を損傷する危険が生じ、あえて冷ましたり、暖めたりする必要があった。さらに、飲料缶を開口する場合、飲料缶の保持が十分でないと揺れを生じ内容物が流出、噴出し易く、皮膚の損傷を招く危険があった。【０００６】本発明は上記問題点を解決する効果的な飲料缶用付帯品を提供するもので、断熱効果を高く保ち、伝熱による温度の変化を防止するとともに、加熱や冷却の前にも飲料缶に簡便に着脱することができ、且つ、安全に飲料缶を取り扱うことを可能にする安価な飲料缶用付帯品を提供するものである。
【課題を解決するための手段】
【０００７】本発明者は、上記問題点を解決するため、伸縮性のある断熱素材をもって飲料缶の胴部を締着し固定されていることを特徴とする飲料缶用ホルダー、一体に形成される底を設けた前記載の特徴を有する飲料缶用ホルダー、伸縮性のある断熱素材で飲料缶の口造り部となる飲み口側胴端部を締着し固定されていることを特徴とする飲料缶用口造り、断熱素材で飲料缶の上部開口部を被覆し、その一部が自由に可動し得ることを特徴とする保護カバー、を提供することを手段とする。
【発明の効果】
【０００８】本発明による飲料缶用ホルダーや口造り、保護カバーを缶に装着することにより、缶の周囲は断熱材で覆われることになり、内容物の温度変化が大幅に抑制される。従来は熱いものは冷め、冷たいものは温まってしまい美味しく飲食出来る範囲を逸脱することが多かったが、本発明による飲料缶用付帯品を使用すれば、缶の側周面、上底部をも覆包し得ることから十分な保温保冷効果を得ることができ、最適な温度範囲で長い時間飲食することが可能になる。伸縮性を有する断熱素材の多くは撥水性、耐熱性、衝撃緩和性を有しており、飲料缶を加熱冷却する前に事前に本発明品を装着しておけば、容易に装着し得るばかりでなく、装着するために生ずる温度変化を排除できるばかりでなく、加熱冷却後の取り扱いが安全で容易になり、伝熱による温度変化も防止出来る。飲料缶を製造する際に缶の一部としてこれらの付帯品を一体にして製造することも可能である。またこれら付帯品で覆包する比率を変えることにより、温度変化の割合を容易に変更でき、必要にして十分な時間だけ温度変化を抑制する事も可能になる。短時間に飲食が完了するような用途のものであれば、側周面の断熱素材は網目状や格子状に構成する事も可能であり、伸縮性も増してより安価で取り扱い易いものが提供出来る。【０００９】口造りは直接飲食時に口が接する部分であり、伝熱による温度変化を助長しやすい。同時に本来飲食に適した温度において、唇が缶と接触する場合、缶の熱伝導率が高いことから、飲食する者が体感する温度は、熱いものはより熱く、冷たいものはより冷たく感じることとなる。特に熱い場合は唇をやけどする危険性があり、直接唇に接する部分の熱伝導を下げることが必要になる。本発明品を用いれば断熱性能を有する事から熱伝導率は金属に比べほぼ皆無の状態にまで改善出来ることから、陶器や発砲スチロール性のカップで飲食するのと同じような感覚で直接飲料缶から飲食することが可能になる。【００１０】もう一箇所直接手で触れることの多い部分が飲み口のプルタブである。この部分においても伝熱による温度変化を助長するとともに、一定の強度で封印がなされていることから、プルタブのてこの原理を用いても、開缶時に揺れが生じ易く内容物が流出したり噴出して皮膚の損傷を起こしやすい。本発明品はこのプルタブを覆い掴むことを可能にし、かつ開口部の上面をも覆い隠すことから、内容物の流出や噴出及び飛散を防止するとともに皮膚の保護を可能にする。【００１１】以上の各付帯品はそれぞれが独立していても部分的に一体になっていても、全部が一体になっていても問題がない。また、開口に際し使用する保護カバー部分は容易に切り離せる構造にしておくと開口後飲食し易いとともに、ふたとして利用し得る構造も供する事が可能である。【００１２】これらを用いることによりこれまで飲食がしにくかった極低温まで冷却したウォッカ等のリキュールや提供することが困難であった沸点近い温度の熱いお茶や珈琲の提供が可能になり、飲食に必要な時間、飲食に適した温度に保持することが可能になる。また、これら付帯品を飲料缶と一体にして製造し提供する場合には、本付帯品に種々の表示や印刷を施したり、メッシュや模様など種々の装飾を施すことも可能である。【００１３】本発明の飲料缶用付帯品は、飲料缶をこれに装着すると優れた断熱性を発揮し、熱いものは冷めにくく、冷たいものは温まりにくい。従って、飲料を飲食に適した温度で、安全に快適に、最後まで美味しく飲むことができるという効果を有する。
【発明を実施するための最良の形態】
【００１４】伸縮性を有し撥水性及び弾力性のある断熱素材である発泡プラスチックスシートを用い、円筒形の部材である断熱ホルダー１と缶上部を覆う円形部材である上部保護カバー２を作成する。断熱ホルダー１の内径は、適用する飲料缶の外径寸法に対し飲料缶の最上部では１〜２ｍｍ小さく、最下部では１ｍｍ程度大きく構成し、飲料缶に装着し易いようにテーパーを設ける。缶底部の円形部材は断熱効果を高めるためにはきわめて有効であるが、製作するうえで手間がかかることから、特に断熱効果を高める必要のある場合に限定して使用する。缶底部に断熱素材を設けない場合はホルダー部分と口造りを一体にして作成が出来、テーパーを付与することにより容易に口造り部の飲料缶との密着性を高めることが出来る。缶上部を覆う上部保護カバー２は接合する断熱ホルダー１の外径寸法を下回らないほぼ同寸法の直径とし、口造り部分にて円周の四分の一程度の長さで、容易に切り離しが可能な方法にて接合し、それ以外の部分は任意に可動出来る状態にする。
【実施例】
【００１５】以下、本発明を図面に基づいて詳細に説明する。
【実施例１】
【００１６】伸縮性を有する断熱素材である発砲ポリプロピレンシートを厚さ２ｍｍ、高さ９０ｍｍ、内径５０ｍｍの寸法にて巻装し、飲料缶用断熱ホルダー３を作製した。これは、外径５２ｍｍ、内容量２４５ｇ入り飲料缶に適合する寸法である。
【実施例２】
【００１７】厚さ２ｍｍ、高さ２０ｍｍ、内径５０ｍｍの発砲ポリプロピレンシートを、飲料缶の口造り部となる飲み口側胴端部にを締着し飲料缶用口造り４を製作した。飲み口部の高さは唇の接触を考慮し２０ｍｍとしたが、それ以外の部分は締着に必要な寸法まで縮減することも可能である。これは、外径５２ｍｍ、内容量２４５ｇ入り飲料缶に適合する寸法であるが、ほぼ同径の飲料缶であれば缶の内容量によらず使用が可能である。
【実施例３】
【００１８】厚さ２ｍｍ、高さ２０ｍｍ、内径５０ｍｍの発砲ポリプロピレンシートからなる飲料缶用口造り４に、ミシン目で切り離し易い構造をもって一体になるよう連結し、缶上部を円形に覆い、プルタブを包み込んで開口出来るよう連結部とは周方向反対側が自由に可動しやすく構成した厚さ２ｍｍ、直径５２ｍｍのシート状の上部保護カバー２を作成した。これも、外径５２ｍｍ、内容量２４５ｇ入り飲料缶に適合する寸法であるが、ほぼ同径の飲料缶であれば缶の内容量によらず使用が可能である。【００１９】以上、本発明の実施例を図面に基づいて説明してきたが、本発明はこの実施例のみに限定されるものではなく、その要旨を逸脱しない範囲での設計変更があっても本発明に含まれる。例えば、実施例では内容量２４５ｇ缶に適合する寸法を示したが、それ以外の容量の缶に適合するものでも良く、また、実施例に示される断熱素材の厚さ、ホルダーの高さ等の寸法数値は本発明の実施例の一つに過ぎない。また、同種の素材他で底部を構成したり、各実施例を組み合わせ、ボルダ−と口造りが一体となったのもや更に底部やシート状の上部保護カバーを一体に組みこんで構成する事も可能である。【００２０】さらに、容量が小さいなど飲食の時間が短いものに関しては、ホルダー部分の高さを小さくして持つ部分だけに縮小したり、指や手のひらが直接缶に触れない程度にメッシュや格子形状に構成して装着し易く、外観を美しくする事も可能である。イベント用に印刷を施したり、断熱素材で模様や文字を作ることも可能である。【００２１】なお、各種発泡プラスチックスが伸縮性のある断熱素材として有効であるが、これらは撥水性、耐熱性、衝撃緩和性に富んでおり、事前に装着した後で、大きな容積の拡大を伴わず加熱及び冷却が可能である。装着をより一層容易にするために、缶の同軸方向に対し、内径をテーパー状に変化させ、缶を挿入しやすくしたり、メッシュの構造を軸方向と一定の角度を持たせて構成し、より伸縮し易くする事も有用である。
【図面の簡単な説明】
【００２２】
【図１】発明を実施するための最良の形態を示す図である。
【図２】第一実施例の飲料缶用断熱ホルダーを示す図である。
【図３】第一実施例と同様のホルダーを装着し易いようにテーパを設け構成し、これに一体に形成される底を設けた断熱ホルダーを示す断面図である。
【図４】第二実施例の飲料缶用口造りを示す図である。
【図５】第三実施例の飲料缶用上部保護カバーを示す図である。
【図６】飲料缶の軸方向と一定の角度を持たせてメッシュ状の構造を構成した断熱ホルダーを示す図である。
【符号の説明】
【００２３】    １  断熱ホルダー
２  保護カバー
３  断熱ホルダー
４  口造り
５  メッシュ状の構造の断熱ホルダー
【図１】
2005132482.tif 000003
【図２】
2005132482.tif 000004
【図３】
2005132482.tif 000005
【図４】
2005132482.tif 000006
【図５】
2005132482.tif 000007
【図６】
2005132482.tif 000008